(57)【要約】  【課題】単相用と多相用との切り替えが可能な電気開閉器を提供する。  【解決手段】接点４ｂを介して受信するマスタースレーブ指示信号により１つの制御装置４がマスター状態になり、他の２つの制御装置がスレーブ状態となっている。マスター状態の制御装置４は、接点４ａを介してオン状態の制御信号が入力されると、接点部４ｄ、４ｅを介して他の２つの制御装置にオン状態の動作信号を送信する。スレーブ状態の制御装置４は、過電流が流れると接点４ｆを介して過電流検知信号を送信する。この過電流検知信号の送信によりマスター状態の制御装置４は過電流停止信号を受信する。マスター状態の制御装置４は、接点４ａを介してオフ状態の制御信号が入力されたとき、過電流が流れたとき、又は、接点４ｇを介して過電流停止信号を受信したときに、接点部４ｄ、４ｅを介して他の２つの制御装置４にオフ状態の動作信号を送信する。【選択図】図３
2006351315.tif 000002
【特許請求の範囲】
【請求項１】
２つの端子と、前記２つの端子の間の電気的接続及びその遮断を行う接続装置と、前記接続装置における前記電気的接続及びその遮断を制御する制御装置とを備えた複数の電気開閉器を有し、
前記制御装置は、
前記接続装置を制御するための制御信号を受信する制御信号受信手段と、
前記接続装置における前記電気的接続及びその遮断に関して前記複数の電気開閉器が同期した同期運転を行わせるか否かを指示する同期指示信号を受信する同期指示信号受信手段と、
前記同期指示信号受信手段が受信した同期指示信号にしたがって、同期運転を行うか否かを記憶する同期記憶手段と、
前記同期記憶手段が前記同期運転を行うことを記憶しているときに前記接続装置における前記電気的接続の状況を示す動作信号を送信する動作信号送信手段と、
他の前記電気開閉器からの前記動作信号を受信する動作信号受信手段と、
前記同期記憶手段が前記同期運転を行うことを記憶しているときに、前記制御信号にしたがって前記接続装置を制御するマスター状態、及び、前記動作信号にしたがって前記接続装置を制御するスレーブ状態のいずれの状態であるかを記憶するマスタースレーブ記憶手段とを備えており、
前記同期指示信号が同期運転を行わせる旨を指示しているときに、前記複数の電気開閉器のうちの１つの前記電気開閉器に含まれた前記マスタースレーブ記憶手段が前記マスター状態である旨を記憶していると共に、残りの前記電気開閉器に含まれた前記マスタースレーブ記憶手段が、前記スレーブ状態である旨を記憶しており、
前記マスター状態の前記電気開閉器の前記動作信号送信部と、前記スレーブ状態の前記電気開閉器の前記動作信号受信部とが接続されていることを特徴とする電気開閉システム。
【請求項２】
２つの端子と、前記２つの端子の間の電気的接続及びその遮断を行う接続装置と、前記接続装置における前記電気的接続及びその遮断を制御する制御装置とを備えた複数の電気開閉器と、
複数の前記接続装置のうちの何れかが前記２つの端子の間の前記電気的接続を行っていることを示すオン状態、及び、全ての前記接続装置が前記２つの端子の間の前記電気的接続を遮断していることを示すオフ状態の何れかであるステータス信号を生成するステータス信号生成手段と、
全ての前記電気開閉器の前記２つの端子の前記電気的接続を遮断するための非同期停止信号を生成する非同期停止信号生成手段とを有し、
前記制御装置は、
前記接続装置を制御するための制御信号を受信する制御信号受信手段と、
前記接続装置における前記電気的接続及びその遮断に関して前記複数の電気開閉器が同期した同期運転を行わせるか否かを指示する同期指示信号を受信する同期指示信号受信手段と、
前記同期指示信号受信手段が受信した同期指示信号にしたがって、同期運転を行うか否かを記憶する同期記憶手段と、
前記同期記憶手段が前記同期運転を行うことを記憶しているときに前記接続装置における前記電気的接続の状況を示す動作信号を送信する動作信号送信手段と、
前記ステータス信号生成手段が生成した前記ステータス信号を受信するステータス信号受信手段と、
前記接続装置により前記２つの端子の電気的接続が遮断されている場合に、前記ステータス信号受信手段が前記オン状態のステータス信号を受信したときに、同期していないことを示す非同期信号を送信する非同期信号送信手段と、
前記非同期停止信号生成手段が生成した前記非同期停止信号を受信する非同期停止信号受信手段と、
前記非同期停止信号受信手段が受信した前記非同期停止信号がアクティブであるときに、前記２つの端子の電気的接続が遮断されるように前記接続手段を制御する非同期遮断手段とを有しており、
前記ステータス信号生成手段は、
前記複数の電気開閉器の何れかが前記接続装置が前記２つの端子を電気的に接続していることを示す前記動作信号を送信しているときに前記オン状態の前記ステータス信号を生成し、
前記複数の電気開閉器のいずれからも前記２つの端子を電気的に接続していることを示す前記動作信号が送信されていないときに前記オフ状態の前記ステータス信号を生成し、
前記非同期停止信号生成手段は、
少なくとも何れか１つの前記電気開閉器から前記非同期信号が送信されたときに前記非同期停止信号をアクティブにすることを特徴とする電気開閉システム。
【請求項３】
全ての前記複数の電気開閉器の前記２つの端子の間の電気的接続を遮断する過電流停止信号を生成するための過電流停止信号生成手段をさらに有し、
前記制御装置が、
前記２つの端子の間に過電流が流れたことを検知する過電流検知手段と、
前記過電流検知手段が過電流を検知したとき、過電流検知信号を送信する過電流検知信号送信手段と、
前記過電流停止信号生成手段が生成した前記過電流停止信号を受信する過電流停止信号受信手段と、
前記過電流検知手段が過電流を検知したとき、及び、前記同期記憶手段が前記同期運転を行うことを記憶した場合に、前記過電流停止信号受信手段が受信した前記過電流停止信号がアクティブであるときに前記２つの端子の間の電気的な接続が遮断されるように前記接続装置を制御する過電流遮断手段とをさらに備えており、
前記過電流停止信号生成手段は、
少なくとも何れか１つの前記電気開閉器から前記過電流検知信号が送信されたときに前記過電流停止信号をアクティブにすることを特徴とする請求項１又は２に記載の電気開閉システム。
【請求項４】
複数が同期して動作することが可能に構成された電気開閉器であって、
２つの端子と、前記２つの端子の間の電気的接続及びその遮断を行う接続装置と、前記接続装置における前記電気的接続及びその遮断を制御する制御装置とを備えており、
前記制御装置は、
前記接続装置を制御するための制御信号を受信する制御信号受信手段と、
前記接続装置における前記電気的接続及びその遮断に関して前記複数の電気開閉器が同期した同期運転を行わせるか否かを指示する同期指示信号を受信する同期指示信号受信手段と、
前記同期指示信号受信手段が受信した同期指示信号にしたがって、同期運転を行うか否かを記憶する同期記憶手段と、
前記同期記憶手段が前記同期運転を行うことを記憶しているときに前記接続装置における前記電気的接続の状況を示す動作信号を送信する動作信号送信手段と、
他の前記電気開閉器からの前記動作信号を受信する動作信号受信手段と、
前記同期記憶手段が前記同期運転を行うことを記憶しているときに、前記制御信号の受信にしたがって前記接続装置を制御するマスター状態、及び、前記動作信号にしたがって前記接続装置を制御するスレーブ状態のいずれの状態であるかを記憶するマスタースレーブ記憶手段とを備えていることを特徴とする電気開閉器。
【請求項５】
オン状態及びオフ状態の何れかであるステータス信号を生成するステータス信号生成手段と非同期停止信号を生成する非同期停止信号生成手段とにより複数が同期して動作することが可能に構成された電気開閉器であって、
２つの端子と、前記２つの端子の間の電気的接続及びその遮断を行う接続装置と、前記接続装置における前記電気的接続及びその遮断を制御する制御装置とを備えており、
前記制御装置は、
前記接続装置を制御するための制御信号を受信する制御信号受信手段と、
前記接続装置における前記電気的接続及びその遮断に関して前記複数の電気開閉器が同期した同期運転を行わせるか否かを指示する同期指示信号を受信する同期指示信号受信手段と、
前記同期指示信号受信手段が受信した同期指示信号にしたがって、同期運転を行うか否かを記憶する同期記憶手段と、
前記同期記憶手段が前記同期運転を行うことを記憶しているときに前記接続装置における前記電気的接続の状況を示す動作信号を送信する動作信号送信手段と、
前記ステータス信号生成手段が生成した前記ステータス信号を受信するステータス信号受信手段と、
前記接続装置により前記２つの端子の電気的接続が遮断されている場合に、前記ステータス信号受信手段が前記オン状態のステータス信号を受信したときに、同期していないことを示す非同期信号を送信する非同期信号送信手段と、
前記非同期停止信号生成手段が生成した前記非同期停止信号を受信する非同期停止信号受信手段と、
前記非同期停止信号受信手段が受信した前記非同期停止信号がアクティブであるときに、前記２つの端子の電気的接続が遮断されるように前記接続手段を制御する非同期遮断手段とを有していることを特徴とする電気開閉器。
【発明の詳細な説明】
【技術分野】
【０００１】
本発明は、電気回路を開閉するための電気開閉器及び電気開閉システムに関する。
【背景技術】
【０００２】
電源と負荷とが接続された電気回路を開閉するために電気開閉器が用いられる。例えば、三相交流電源と負荷とが接続された電気回路を開閉する電気開閉器としては、主回路に三相交流電源が接続される３つの入力端子、それに対応する負荷が接続される３つの出力端子と、各入力端子と各出力端子との間に配設された真空電磁接触器、サイリスタスイッチ及び高速度スイッチと、これらを制御する制御装置とを有するものが知られている（特許文献１参照）。制御装置が真空電磁接触器、サイリスタスイッチ及び高速度スイッチを制御することにより電気回路が開閉する。
【０００３】
【特許文献１】特開平８−３１５６６６号公報（図１）
【発明の開示】
【発明が解決しようとする課題】
【０００４】
特許文献１の遮断器は三相の電気回路用の遮断器として構成されているため、単相又は三相以外の多相の電気回路に転用しにくく汎用性に欠ける。
【０００５】
本発明の目的は、単相及び多相の切り替えを容易に行うことができ、汎用性の高い電気開閉器及び電気開閉システムを提供することである。
【課題を解決するための手段及び発明の効果】
【０００６】
本発明の電気開閉システムは、２つの端子と、２つの端子の間の電気的接続及びその遮断を行う接続装置と、接続装置における電気的接続及びその遮断を制御する制御装置とを備えた複数の電気開閉器を有する。制御装置は、接続装置を制御するための制御信号を受信する制御信号受信手段と、接続装置における電気的接続及びその遮断に関して複数の電気開閉器が同期した同期運転を行わせるか否かを指示する同期指示信号を受信する同期指示信号受信手段と、同期指示信号受信手段が受信した同期指示信号にしたがって、同期運転を行うか否かを記憶する同期記憶手段と、同期記憶手段が同期運転を行うことを記憶しているときに接続装置における電気的接続の状況を示す動作信号を送信する動作信号送信手段と、他の電気開閉器からの動作信号を受信する動作信号受信手段と、同期記憶手段が同期運転を行うことを記憶しているときに、制御信号にしたがって接続装置を制御するマスター状態、及び、動作信号にしたがって接続装置を制御するスレーブ状態のいずれの状態であるかを記憶するマスタースレーブ記憶手段とを備えている。同期指示信号が同期運転を行わせる旨を指示しているときに、複数の電気開閉器のうちの１つの電気開閉器に含まれたマスタースレーブ記憶手段がマスター状態である旨を記憶していると共に、残りの電気開閉器に含まれたマスタースレーブ記憶手段が、スレーブ状態である旨を記憶している。マスター状態の電気開閉器の動作信号送信部と、スレーブ状態の電気開閉器の動作信号受信部とが接続されている。
【０００７】
これによると、同期選択手段により同期運転を行うか否かを切り替えることにより、複数の電気開閉器が組み込まれた電気開閉システムにおいて複数の単相用の開閉器としても１つの多相開閉器としても使用することができ、電気開閉システムの汎用性が高くなる。さらに、同期運転を行う場合、電気開閉器の１つをマスター状態にし、残りをスレーブ状態にすることにより、全ての電気開閉器の２つの端子の間の電気的接続の状態を容易に同期させることができる。
【０００８】
別の観点において、本発明の電気開閉システムは、２つの端子と、２つの端子の間の電気的接続及びその遮断を行う接続装置と、接続装置における電気的接続及びその遮断を制御する制御装置とを備えた複数の電気開閉器と、複数の接続装置のうちの何れかが２つの端子の間の電気的接続を行っていることを示すオン状態、及び、全ての接続装置が２つの端子の間の電気的接続を遮断していることを示すオフ状態の何れかであるステータス信号を生成するステータス信号生成手段と、全ての電気開閉器の２つの端子の電気的接続を遮断するための非同期停止信号を生成する非同期停止信号生成手段とを有する。制御装置は、接続装置を制御するための制御信号を受信する制御信号受信手段と、接続装置における電気的接続及びその遮断に関して複数の電気開閉器が同期した同期運転を行わせるか否かを指示する同期指示信号を受信する同期指示信号受信手段と、同期指示信号受信手段が受信した同期指示信号にしたがって、同期運転を行うか否かを記憶する同期記憶手段と、同期記憶手段が同期運転を行うことを記憶しているときに接続装置における電気的接続の状況を示す動作信号を送信する動作信号送信手段と、ステータス信号生成手段が生成したステータス信号を受信するステータス信号受信手段と、接続装置により２つの端子の電気的接続が遮断されている場合に、ステータス信号受信手段が前記オン状態のステータス信号を受信したときに、同期していないことを示す非同期信号を送信する非同期信号送信手段と、非同期停止信号生成手段が生成した非同期停止信号を受信する非同期停止信号受信手段と、非同期停止信号受信手段が受信した非同期停止信号がアクティブであるときに、２つの端子の電気的接続が遮断されるように接続手段を制御する非同期遮断手段とを有している。ステータス信号生成手段は、複数の電気開閉器の何れかが２つの端子を電気的に接続していることを示す動作信号を送信しているときにオン状態のステータス信号を生成し、複数の電気開閉器のいずれからも２つの端子を電気的に接続していることを示す動作信号が送信されていないときにオフ状態のステータス信号を生成する。非同期停止信号生成手段は、少なくとも何れか１つの電気開閉器から非同期信号が送信されたときに非同期停止信号をアクティブにする。
【０００９】
これによると、同期選択手段により同期運転を行うか否かを切り替えることにより、複数の電気開閉器が組み込まれた電気開閉システムにおいて複数の単相用の開閉器としても１つの多相開閉器としても使用することができ、電気開閉システムの汎用性が高くなる。さらに、同期運転を行う場合、全ての電気開閉器の２つの端子の間の電気的接続状態が一致しない異常が発生したときに、非同期停止信号により、全ての電気開閉器の２つの端子の電気的接続を遮断することができる。
【００１０】
また、本発明の電気開閉システムは、全ての複数の電気開閉器の２つの端子の間の電気的接続を遮断する過電流停止信号を生成するための過電流停止信号生成手段をさらに有しており、このとき、制御装置が、２つの端子の間に過電流が流れたことを検知する過電流検知手段と、過電流検知手段が過電流を検知したとき、過電流検知信号を送信する過電流検知信号送信手段と、過電流停止信号生成手段が生成した過電流停止信号を受信する過電流停止信号受信手段と、過電流検知手段が過電流を検知したとき、及び、同期記憶手段が同期運転を行うことを記憶した場合に、過電流停止信号受信手段が受信した過電流停止信号がアクティブであるときに２つの端子の間の電気的な接続が遮断されるように接続装置を制御する過電流遮断手段とを備えており、過電流停止信号生成手段は、少なくとも何れか１つの電気開閉器から過電流検知信号が送信されたときに過電流停止信号をアクティブにしてもよい。これによると、同期運転を行っている場合、何れかの電気開閉器の２つの端子の間に過電流が流れたときに、過電流停止信号により全ての電気開閉器の２つの端子の電気的接続を遮断することができる。
【００１１】
本発明の電気開閉器は、複数が同期して動作することが可能に構成された電気開閉器であって、２つの端子と、２つの端子の間の電気的接続及びその遮断を行う接続装置と、接続装置における電気的接続及びその遮断を制御する制御装置とを備えている。制御装置は、接続装置を制御するための制御信号を受信する制御信号受信手段と、接続装置における電気的接続及びその遮断に関して複数の電気開閉器が同期した同期運転を行わせるか否かを指示する同期指示信号を受信する同期指示信号受信手段と、同期指示信号受信手段が受信した同期指示信号にしたがって、同期運転を行うか否かを記憶する同期記憶手段と、同期記憶手段が同期運転を行うことを記憶しているときに接続装置における電気的接続の状況を示す動作信号を送信する動作信号送信手段と、他の電気開閉器からの動作信号を受信する動作信号受信手段と、同期記憶手段が同期運転を行うことを記憶しているときに、制御信号にしたがって前記接続装置を制御するマスター状態、及び、前記動作信号にしたがって前記接続装置を制御するスレーブ状態のいずれの状態であるかを記憶するマスタースレーブ記憶手段とを備えている。
【００１２】
別の観点から、本発明の電気開閉器は、オン状態及びオフ状態の何れかであるステータス信号を生成するステータス信号生成手段と非同期停止信号を生成する非同期停止信号生成手段とにより複数が同期して動作することが可能に構成された電気開閉器であって、２つの端子と、２つの端子の間の電気的接続及びその遮断を行う接続装置と、接続装置における電気的接続及びその遮断を制御する制御装置とを備えている。制御装置は、接続装置を制御するための制御信号を受信する制御信号受信手段と、接続装置における電気的接続及びその遮断に関して複数の電気開閉器が同期した同期運転を行わせるか否かを指示する同期指示信号を受信する同期指示信号受信手段と、同期指示信号受信手段が受信した同期指示信号にしたがって、同期運転を行うか否かを記憶する同期記憶手段と、同期記憶手段が同期運転を行うことを記憶しているときに接続装置における電気的接続の状況を示す動作信号を送信する動作信号送信手段と、ステータス信号生成手段が生成したステータス信号を受信するステータス信号受信手段と、接続装置により２つの端子の電気的接続が遮断されている場合に、ステータス信号受信手段がオン状態のステータス信号を受信したときに、同期していないことを示す非同期信号を送信する非同期信号送信手段と、非同期停止信号生成手段が生成した非同期停止信号を受信する非同期停止信号受信手段と、非同期停止信号受信手段が受信した非同期停止信号がアクティブであるときに、２つの端子の電気的接続が遮断されるように接続手段を制御する非同期遮断手段とを有している。
【発明を実施するための最良の形態】
【００１３】
［第１の実施の形態］
以下、本発明に係る第１の実施の形態について、図面を参照しつつ説明する。第１の実施の形態は、本発明の電気開閉システムを用いて、電源と負荷との間の電気的接続の開閉を行う電気回路の一例である。
【００１４】
図１は、電気開閉システム１が接続された電気回路の概略を表す図である。図１（ａ）は電気開閉システム１に３つの交流電源１０１と３つの負荷１０２とを接続した図であり、３つの交流電源１０１と３つの負荷１０２との間の開閉（電気的接続及びその遮断）を個別に行うことが可能となっている。図１（ｂ）は、電気開閉システム１に１つの三相交流電源１０３と３つの負荷１０４とを接続した図であり、三相交流電源１０３と３つの負荷１０４との間の開閉が同時に行われる。
【００１５】
電気開閉システム１は、交流電源１０１または三相交流電源１０３に接続される端子２ａ、及び、負荷１０２または負荷１０４に接続される端子２ｂを有する３つの電気開閉器２を有する。電気開閉器２は、接続装置３と制御装置４とを有し、接続装置３に、端子２ａと端子２ｂとが接続されている。接続装置３は、例えば、電磁接触器などであって、制御装置４により制御されて端子２ａと端子２ｂとの間の開閉を行う。また、図１では図示していないが、３つの電気開閉器２は、互いに接続されている。この電気開閉器２同士の接続については後で詳細に説明する。
【００１６】
次に制御装置４について図２を用いて詳細に説明する。図２は、制御装置４の電気的構成を表すブロック図である。制御装置４は、ＣＰＵ（Central Processing Unit）、各種プログラムやデータ等が格納されたＲＯＭ（Read Only Memory）、ＣＰＵで処理されるデータを一時的に記憶するＲＡＭ（Random Access Memory）等を備えており、これらによって以下に説明する各機能が実現される。
【００１７】
制御装置４は、制御信号受信部１１、同期指示信号受信部１０、同期記憶部１２、マスタースレーブ指示信号受信部２０、マスタースレーブ記憶部１３、動作信号送信部１４、動作信号受信部１５、動作制御部９、過電流検知部１６、過電流遮断部１７、過電流検知信号送信部１８及び過電停止信号受信部１９を有する。
【００１８】
制御信号受信部１１は、接点４ａを介して端子２ａと端子２ｂとの間の開閉を行うための制御信号を受信する部分である。制御信号受信部１１は、端子２ａと端子２ｂとの間を電気的に接続させるためのオン状態の制御信号、及び、端子２ａと端子２ｂとの間の電気的接続を遮断させるためのオフ状態の制御信号を受信する。
【００１９】
同期指示信号受信部１０は、３つの接続装置３において、電気的接続とその遮断とを同期させる同期運転を行うか否かを指示する同期指示信号を受信する部分である。同期指示信号受信部１０は、接点４ｂを介して、同期指示信号を受信することが可能となっている
。
【００２０】
同期記憶部１２は、同期指示信号受信部１０が受信した同期指示信号に従って、３つの接続装置３を同期運転させるか否かを記憶する部分である。
【００２１】
マスタースレーブ指示信号受信部２０は、同期記憶部１２が同期運転を行うことを記憶しているときに、さらに、電気開閉器２をマスター状態にするかスレーブ状態にするかを指示するマスタースレーブ指示信号を受信する部分である。マスタースレーブ指示受信部２０は、接点４ｃを介してマスタースレーブ指示信号が受信可能となっている。
【００２２】
マスタースレーブ記憶部１３は、マスタースレーブ指示信号受信部２０が受信したマスタースレーブ指示信号に従って、電気開閉器２をマスター状態にするかスレーブ状態にするかを記憶しておく部分である。電気開閉器２がマスター状態になっているかスレーブ状態になっているかによって、以下に説明するように動作信号送信部１４、動作信号受信部１５、動作制御部９、過電流検知信号送信部１８及び過電流検知信号受信部１９の動作が異なる。
【００２３】
動作信号送信部１４は、同期運転が選択されており、電気開閉器２がマスター状態になっているときに、接点４ｄを介して動作信号が送信される部分である。動作信号送信部１４からは、制御信号受信部１１がオン状態の制御信号を受信したときにスレーブ状態の電気開閉器２の端子２ａと端子２ｂとの間を電気的に接続するためのオン状態の動作信号と、制御信号受信部１１がオフ状態の制御信号を受信したときにスレーブ状態の電気開閉器２の端子２ａと端子２ｂとの間の電気的接続を遮断するためのオフ状態の動作信号とが送信される。
【００２４】
動作信号受信部１５は、同期運転が選択されており、電気開閉器２がスレーブ状態になっているときに接点４ｅを介して動作信号を受信する部分である。動作信号受信部１５は他の電気開閉器２からのオン状態の動作信号及びオフ状態の動作信号を受信する。
【００２５】
動作制御部９は、電気開閉器２に異常が発生していないときに接続装置３の電気的接続状態を制御する部分である。動作制御部９は、同期記憶部１２に同期運転することが記憶されていないとき、及び、同期記憶部１２に同期運転することが記憶され、マスタースレーブ記憶部１３にマスター状態であることが記憶されているときには、制御信号受信部１１が受信したオン状態の制御信号及びオフ状態の制御信号にしたがって接続装置３を制御し、同期記憶部１２に同期運転することが記憶され、マスタースレーブ記憶部１３にスレーブ状態であることが記憶されているときには、動作信号受信手段１５が受信したオン状態の動作信号及びオフ状態の動作信号にしたがって接続装置３を制御する。
【００２６】
過電流検知部１６は、端子２ａと端子２ｂとの間に過電流が流れたときにそのことを検知する部分である。過電流遮断部１７は、過電流検知部１６により過電流が流れていることが検知されたとき、及び、過電流停止信号受信部１９が後述の過電流停止信号を受信したときに、接続装置３を制御して端子２ａと端子２ｂとの間の電気的接続を遮断する部分である。
【００２７】
過電流検知信号送信部１８は、同期記憶部１２に同期運転することが記憶されており、マスタースレーブ記憶部１３にスレーブ状態であることが記憶されている場合に、過電流検知部１６により過電流が流れていることが検知されたときに、接点４ｆを介して過電流検知信号を送信する部分である。過電流停止信号受信部１９は、同期記憶部１２に同期運転することが記憶されており、マスタースレーブ記憶部１３にスレーブ状態であることが記憶されている場合に、接点４ｇを介して後述する過電流停止信号を受信する部分である。
【００２８】
次に、３つの制御装置４同士の接続について図３を用いて説明する。図３は、３つの制御装置４の接続状態を表した図である。但し、図２に示した接点４ａ〜４ｇのうち、接続に用いられないものは図示を省略している。また、図を簡略化するため図３の接点４ａ〜４ｇは図２と異なる位置に図示している。図３に示すように、１つの制御装置４（図３の一番上のもの）の接点４ｄと他の２つの制御装置４の接点４ｅとが接続されることにより、１つの制御装置４の動作信号送信部１４と他の２つの制御装置４の動作信号受信部１５が互いに接続されている。
【００２９】
一番上の制御装置４の接点４ｇは、２つのトランジスタ２１のコレクタ端子に接続されている。さらに、トランジスタ２１のコレクタ端子にはプルアップ抵抗２２を介して所定の電圧が印加されている。一番上のものを除く２つの制御装置４の接点４ｆはそれぞれトランジスタ２１のベース端子に接続されている。また、トランジスタ２１のエミッタ端子はグランド電圧になっている。なお、ここで説明した過電流検知信号送信手段１８及び過電流停止信号受信手段１９が接続されたトランジスタ２１及びプルアップ抵抗２２を有する電気回路が、本発明に係る過電流停止信号生成手段に相当する。
【００３０】
このように過電流検知信号送信部１８、過電流停止信号受信部１９、トランジスタ２１及びプルアップ抵抗２２が接続されることにより、図３の一番上のものを除く２つの制御装置４の過電流検知信号送信部１８から過電流が発生したことを示す過電流検知信号が送信されておらず、トランジスタ２１のベース端子に電流が流れていないときは、コレクタ端子とエミッタ端子との間には電流が流れないため、図３の一番上の制御装置４の過電流停止信号受信部１９には、所定の電圧が印加されている。図３の一番上を除く２つの電気開閉器２の過電流検知信号送信部１８の何れかから過電流が流れたことを示す過電流検知信号が送信され、トランジスタ２１のベース端子に電流が流れると、コレクタ端子とエミッタ端子との間に電流が流れる。これにより、コレクタ端子の電圧がグランド電圧近くまで低下し、これに接続された図３の一番上にある制御装置４の過電流停止信号受信部１９に印加される電圧もグランド電圧近くまで低下する。この電圧の低下により、過電流停止信号がアクティブになり、過電流停止信号受信部１９がこのアクティブになった過電流停止信号を受信する。
【００３１】
また、３つの接点４ｂは互いに接続されており、各接点４ｂを介して、各同期指示信号受信部１０に同期指示信号が同時に送信される。
【００３２】
次に、電気開閉システム１の動作について図４〜図６のフローチャートを用いて説明する。図４は、電気開閉システム２において、図１（ａ）のように、３つの電気開閉器２を同期運転させず独立して動作させる場合の電気開閉器２における処理を表すフローチャートであり、図５、図６はそれぞれ、図１（ｂ）のように、３つの電気開閉器２を同期運転させる場合のマスター状態の電気開閉器２における処理、及び、スレーブ状態の電気開閉器２における処理を表すフローチャートである。
【００３３】
電気開閉器２を同期運転させない場合、３つの制御装置４の各接点４ｂを介して同期指示信号受信部１０に同期運転を選択しないことを示す同期指示信号を送信しておく。電気開閉器２において、端子２ａと端子２ｂとの間の電気的な接続が遮断された状態で、接点４ａを介して制御信号受信部１１がオン状態の制御信号を受信するまで（ステップＳ１００：以下Ｓ１００と称する。他のステップも同様）待機し、制御信号受信部１１がオン状態の制御信号を受信すると（Ｓ１００：Ｙｅｓ）、動作制御部９が接続装置３を動作させて、端子２ａと端子２ｂとを電気的に接続させる（Ｓ１０１）。
【００３４】
端子２ａと端子２ｂとが電気的に接続された状態で、これらの端子２ａと２ｂとの間に過電流が流れると（Ｓ１０２：Ｙｅｓ）、過電流検知部１６がそれを検知し、過電流遮断部１７が接続装置３を制御して、端子２ａと端子２ｂとの電気的接続が遮断させる（Ｓ１０４）。
【００３５】
端子２ａと端子２ｂとの間に過電流が流れていないときに（Ｓ１０２：Ｎｏ）、制御信号受信部１１がオフ状態の制御信号を受信すると（Ｓ１０３：Ｙｅｓ）、動作制御部９が接続装置３を制御して端子２ａと端子２ｂとの間の電気的接続を遮断する（Ｓ１０４）。そして、過電流が流れるか、オフ状態の制御信号を受信するまで端子２ａと端子２ｂとの間が電気的に接続された状態が続く（Ｓ１０３：Ｎｏ）。
【００３６】
次に、電気開閉システム１において３つの電気開閉器２を同期運転させる場合について図５、図６を用いて説明する。３つの電気開閉器２を同期運転させる場合、３つの制御装置４の各接点４ｂを介して同期指示信号受信部１０に同期運転を選択することを示す同期指示信号を送信しておく。また、図３の一番上にある電気開閉器２の接点４ｂを介してマスタースレーブ指示信号受信部２０にマスター状態にすることを示すマスタースレーブ指示信号を送信し、他の２つの電気開閉器２の接点４ｂを介してマスタースレーブ指示信号受信部２０にスレーブ状態にすることを示すマスタースレーブ指示信号を送信しておく。
【００３７】
このとき、電気開閉システム１において、３つの電気開閉器２の端子２ａと端子２ｂとの電気的接続が遮断された状態で、マスター状態にした電気開閉器２では、図５に示すように、接点４ａを介して、制御信号受信部１１がオン状態の制御信号を受信するまで待機し（Ｓ２００：Ｎｏ）、制御信号受信部１１がオン状態の制御信号を受信すると（Ｓ２００：Ｙｅｓ）、動作制御部９が接続装置３を動作させて端子２ａと端子２ｂとを電気的に接続させ（Ｓ２０１）、動作信号送信部１４から接点４ｄを介してスレーブ状態の電気開閉器２の動作信号受信部１５にオン状態の動作信号を送信する（Ｓ２０２）。
【００３８】
端子２ａと端子２ｂとが電気的に接続された状態で、これらの端子２ａ、２ｂの間に過電流が流れると（Ｓ２０３：Ｙｅｓ）、過電流検知部１６がそれを検知し、過電流遮断部１７が接続装置３を動作させて、端子２ａと端子２ｂとの電気的接続を遮断し（Ｓ２０６）、動作信号送信部１４から接点４ｄを介してスレーブ状態の電気開閉器２の動作信号受信部１５にオフ状態の動作信号を送信する（Ｓ２０７）。
【００３９】
端子２ａと端子２ｂとの間に過電流が流れず（Ｓ２０３：Ｎｏ）、過電流停止信号受信部１９が過電流停止信号を受信したとき（Ｓ２０４：Ｙｅｓ）には、過電流遮断部１７が接続装置３を動作させて、端子２ａと端子２ｂとの電気的接続を遮断し（Ｓ２０６）、動作信号送信部１４から接点４ｄを介してスレーブ状態の電気開閉器２の動作信号受信部１５にオフ状態の動作信号を送信する（Ｓ２０７）。また、過電流停止信号受信部１９が過電流停止信号を受信せず（Ｓ２０４：Ｎｏ）、制御信号受信部１１がオフ状態の制御信号を受信したとき（Ｓ２０５：Ｙｅｓ）には、動作制御部９が接続装置３を動作させて、端子２ａと端子２ｂとの電気的接続を遮断し（Ｓ２０６）、動作信号送信部１４から接点４ｄを介してスレーブ状態の電気開閉器２の動作信号受信部１５にオフ状態の動作信号を送信する（Ｓ２０７）。そして、過電流が流れるか、過電流停止信号を受信するか、オフ状態の制御信号を受信するまで、端子２ａと端子２ｂとの間を電気的に接続され続ける（Ｓ２０５：Ｎｏ）。
【００４０】
一方、スレーブ状態の電気開閉器２では、マスター状態の電気開閉器２の動作信号送信部１４から送信されるオン状態の動作信号が動作信号受信部１５を受信するまで待機し（Ｓ３００：Ｎｏ）、動作信号受信部１５がオン状態の動作信号を受信すると（Ｓ３００：Ｙｅｓ）、動作制御部９が接続装置３を動作させて端子２ａと端子２ｂとを電気的に接続させる（Ｓ３０１）。端子２ａと端子２ｂとが電気的に接続された状態で、これらの端子２ａ、２ｂの間に過電流が流れると（Ｓ３０２：Ｙｅｓ）、過電流検知部１６がそれを検知し、過電流検知信号送信部１８から過電流検知信号を送信する（Ｓ３０４）とともに、過電流遮断部１７が接続装置３を動作させて端子２ａと端子２ｂとの電気的接続を遮断する（Ｓ３０５）。
【００４１】
端子２ａと端子２ｂとの間に過電流が流れず（Ｓ３０２：Ｎｏ）、マスター状態の電気開閉器２の動作信号送信部１４から送信されたオフ状態の動作信号を動作信号受信部１５が受信したとき（Ｓ３０３：Ｙｅｓ）は、動作制御部９が接続装置３を動作させて端子２ａと端子２ｂとの電気的接続を遮断する（Ｓ３０５）。そして、過電流が流れるかオフ状態の動作信号を受信するまで、端子２ａと端子２ｂとの間を電気的に接続させ続ける（Ｓ３０３：Ｎｏ）。
【００４２】
以上に説明した第１の実施の形態によると、３つの電気開閉器２を備えた電気開閉システム１において、同期選択信号により、３つの電気開閉器２を３つの単相用の電気開閉器として使用するか、１つの三相用の電気開閉器として使用するかを切り替えることができるので、電気開閉システム１の汎用性が高くなる。
【００４３】
また、３つの電気開閉器２の１つをマスター状態にし、他の２つをスレーブ状態にすることにより、マスター状態の電気開閉器２の端子２ａと端子２ｂとの電気的接続状態に応じて、スレーブ状態の電気開閉器２にオン状態の動作信号及びオフ状態の動作信号を送信することにより全ての電気開閉器２の端子２ａと端子２ｂとの電気的接続の状態を同期させることができる。
【００４４】
また、マスター状態の電気開閉器２の端子２ａと端子２ｂとの間に過電流が流れたときには、端子２ａと端子２ｂとの電気的接続を遮断するとともに、オフ状態の動作信号を送信することにより他の２つ電気開閉器２の端子２ａと端子２ｂとの電気的接続を遮断する。一方、スレーブ状態の電気開閉器２の端子２ａと端子２ｂとの間に過電流が流れたときには、端子２ａと端子２ｂとの電気的接続を遮断するとともに、過電流検知信号を送信し、この過電流検知信号が送信されたときにマスター状態の電気開閉器２が過電流停止信号受信部１９において過電流停止信号を受信し、マスター状態の電気開閉器２が自身の端子２ａと端子２ｂとの電気的接続を遮断するとともにオフ状態の動作信号を送信して他のスレーブ状態の電気開閉器２の端子２ａと端子２ｂとの電気的接続を遮断する。これにより、いずれかの電気開閉器２に過電流が流れたときに、３つの電気開閉器２の端子２ａと端子２ｂとの電気的接続を全て遮断することができる。
【００４５】
［第２の実施の形態］
次に第２の実施の形態について説明する。第２の実施の形態では、第１の実施の形態の制御装置４が制御装置７に置き換えられ、制御装置７同士が接続された構成となっているため、この部分について説明する。
【００４６】
図７は、第２の実施の形態の制御装置７のブロック図である。図７に示すように、制御装置７は制御信号受信部３１、同期指示信号受信部３０、同期記憶部３２、動作信号送信部３３、ステータス信号受信部３４、動作制御部２９、過電流検知部３７、異常遮断部３８、異常検知信号送信部３９及び異常停止信号受信部４０を有する。
【００４７】
制御信号受信部３１は、第１の実施の形態の制御信号受信部１１と同様、接点７ａを介して端子２ａと端子２ｂとの間の開閉を行うための制御信号を受信する部分であり、オン状態の制御信号及びオフ状態の制御信号を受信する。
【００４８】
同期指示信号受信部３０は、３つの接続装置３において、電気的接続とその遮断とを同期させる同期運転を行うか否かを指示する同期指示信号を受信する部分である。同期指示信号受信部３０は、接点７ｂを介して、同期指示信号を受信することが可能となっている
。同期記憶部３２は、同期指示信号受信部３０が受信した同期指示信号に従って、３つの接続装置３を同期運転させるか否かを記憶する部分である。
【００４９】
動作信号送信部３３は、同期運転が選択されているときに、接点７ｃを介して動作信号を送信する部分である。動作信号送信部３３は、電気開閉器２の端子２ａと端子２ｂとが電気的に接続されているときにはオン状態の動作信号を送信し、端子２ａと端子２ｂとの間の電気的接続が遮断されているときには、オフ状態の動作信号を送信する。ステータス信号受信部３４は、同期運転が選択されているときに接点７ｄを介して後述するオン状態及びオフ状態のステータス信号を受信する部分である。
【００５０】
動作制御部２９は、電気開閉器２に異常が発生していないときに接続装置３の電気的接続状態を制御する部分である。動作制御部９は、制御信号受信部３１が受信したオン状態の制御信号及びオフ状態の制御信号にしたがって接続装置３を制御する。
【００５１】
過電流検知部３７は、第１の実施の形態と同様、端子２ａと端子２ｂとの間に過電流が流れたときにそのことを検知する部分である。異常遮断部３８は、過電流検知部３７により過電流が流れていることが検知されたとき、及び、異常停止信号受信部４０が後述の異常停止信号を受信したときに、接続装置３を制御して端子２ａと端子２ｂとの間の電気的接続を遮断するものである。なお、異常遮断部３８が本発明に係る非同期遮断手段と過電流遮断手段とを兼ねている。
【００５２】
異常検知信号送信部３９は、同期運転が選択されており、過電流検知部３７により過電流が流れていることが検知されたとき、及び、端子２ａと端子２ｂとの間の電気的接続が遮断されている場合に、ステータス信号受信部３４がオン状態のステータス信号を受信したときに、接点７ｅを介して異常検知信号を送信する部分である。異常停止信号受信部４０は、同期運転が選択されているときに、接点７ｆを介して後述する異常停止信号を受信する部分である。なお、本実施の形態においては、異常検知信号送信部３９が、本発明に係る非同期信号送信手段及び過電流検知信号送信手段を兼ねており、異常停止信号受信手段４０が本発明に係る非同期停止信号受信手段及び過電流停止信号受信手段を兼ねている。
【００５３】
次に、３つの制御装置７同士の接続について図８を用いて説明する。図８は、３つの制御装置７同士の接続を表す接続図である。但し、図７に示した接点７ａ〜７ｆのうち、接続に用いられないものは図示を省略している。また、図を簡略化するため図８の接点７ａ〜７ｆは図７と異なる位置に図示している。図８に示すように、第１の実施の形態と同様、各接点７ｂを介して、３つの同期指示信号受信部３２が互いに接続されており、同期指示信号を同時に受信する。
【００５４】
３つの動作信号送信部３３はそれぞれ接点７ｃを介して３つのトランジスタ５１のベース端子に接続されている。また、接点７ｄを介して３つのステータス信号受信部３４が互いに接続され、さらに、３つのトランジスタ５１のコレクタ端子がこれに接続されている。そして、トランジスタ５１のコレクタ端子には、プルアップ抵抗５２を介して所定の電圧が印加されている。また、トランジスタ５１のエミッタ端子はグランド電圧になっている。なお、ここで説明した動作信号送信部３３及びステータス信号受信部３４が接続されたトランジスタ５１及びプルアップ抵抗５２を有する電気回路が本発明に係るステータス信号生成手段に相当する。
【００５５】
このように、動作信号送信部３３、ステータス信号受信部３４、トランジスタ５１及びプルアップ抵抗５２が接続されることにより、３つの動作信号送信部３３の何れもがオン状態の動作信号を送信しておらずトランジスタ５１のベース端子に電流が流れていないときには、コレクタ端子とエミッタ端子との間には電流が流れないため、ステータス信号受信部３４には、所定の電圧が印加されている。この所定の電圧が印加されることによりステータス信号はオフ状態になり、ステータス信号受信部３４はこのオフ状態のステータス信号を受信する。３つの動作信号送信部３３の少なくとも１つがオン状態の動作信号を送信し、トランジスタ５１のベース端子に電流が流れると、コレクタ端子とエミッタ端子との間に電流が流れる。これにより、コレクタ端子の電圧がグランド電圧近くまで低下し、これに接続されたステータス信号受信部３４に印加される電圧もグランド電圧近くまで低下する。この電圧の低下により、ステータス信号がオン状態になり、ステータス信号受信部３４はこのオン状態のステータス信号を受信する。
【００５６】
３つの異常検知信号送信部３９は接点７ｅを介して、それぞれ３つのトランジスタ５１のベース端子に接続されている。３つの異常停止信号受信部４０は接点７ｆを介してそれぞれ３つのトランジスタ５３のコレクタ端子に接続され、さらに、３つのトランジスタ５３のコレクタ端子がこれに接続されている。そして、トランジスタ５３のコレクタ端子には、プルアップ抵抗５４を介して所定の電圧が印加されている。また、トランジスタ５３のエミッタ端子はグランド電圧になっている。なお、ここで説明した異常検知信号送信部３９及び異常停止信号受信部４０に接続されたトランジスタ５３及びプルアップ抵抗４３を有する電気回路が本発明の非同期停止信号生成手段及び過電流停止信号生成手段に相当する。
【００５７】
このように異常検知信号送信部３９、異常検知信号受信部４０、トランジスタ５３及びプルアップ抵抗５４が接続されることにより、３つの異常検知信号送信部３９の何れもが異常検知信号を送信しておらずトランジスタ５３のベース端子に電流が流れていないときには、コレクタ端子とエミッタ端子との間には電流が流れないため、３つの異常停止号受信部４０には、所定の電圧が印加されている。３つの異常検知信号送信部３９の少なくとも１つが異常検知信号を送信し、トランジスタ５３のベース端子に電流が流れると、コレクタ端子とエミッタ端子との間に電流が流れる。これにより、コレクタ端子の電圧がグランド電圧近くまで低下し、これに接続された３つの異常停止信号受信部４０に印加される電圧もグランド電圧近くまで低下する。この電圧の低下により、異常停止信号がアクティブとなり、異常停止信号受信部４０は、このアクティブになった異常検知信号を受信する。
【００５８】
次に、制御装置７の動作について図９のフローチャートを用いて説明する。図９は、３つの電気開閉器２を同期運転させるときの処理を表すフローチャートである。ただし、３つの電気開閉器２を同期運転させない場合の動作は第１の実施の形態の場合と同様であるためその説明を省略し、３つの電気開閉器２を同期運転させる場合についてのみ説明する。３つの電気開閉器２を同期運転させる場合、３つの電気開閉器２の各接点７ｂを介して同期指示信号受信部３０に同期運転を選択することを示す同期選択信号を送信しておく。
【００５９】
３つの電気開閉器２の端子２ａと端子２ｂとの電気的接続が遮断された状態で、各電気開閉器２において、何らかの異常により動作信号受信部３４がオン状態のステータス信号を受信した場合（Ｓ４００：Ｙｅｓ）には、３つの電気開閉器２が非同期状態になっていることになるので、異常検知信号送信部３９から異常検知信号を送信（Ｓ４０１）するとともに、端子２ａと端子２ｂとの電気的接続が遮断された状態を継続する。ステータス信号受信部３４がオン状態のステータス信号を受信しないとき（Ｓ４００：Ｎｏ）は、制御信号受信部３１がオン状態の制御信号を受信するまで待機し（Ｓ４０２：Ｎｏ）、制御信号受信部３１がオン状態の制御信号を受信すると（Ｓ４０２：Ｙｅｓ）、動作制御部２９が接続装置３を動作させて端子２ａと端子２ｂとを電気的に接続させ（Ｓ４０３）、動作信号送信部３３からオン状態の動作信号を送信する（Ｓ４０４）。但し、このとき、３つの制御信号送信部３１が同時にオン状態の制御信号を受信するようにする。
【００６０】
端子２ａと端子２ｂとが電気的に接続された状態で、これらの端子２ａ、２ｂの間に過電流が流れると（Ｓ４０５：Ｙｅｓ）、過電流検知部３７がそれを検知し、異常検知信号送信部３９から異常検知信号を送信する（Ｓ４０８）とともに、異常遮断部３８が接続装置３を動作させて、端子２ａと端子２ｂとの電気的接続を遮断する（Ｓ４０９）。そして、動作信号送信部３３からオフ状態の動作信号を送信する（Ｓ４１０）。
【００６１】
端子２ａと端子２ｂとの間に過電流が流れず（Ｓ４０５：Ｎｏ）、異常停止信号受信部４０が異常停止信号を受信したとき（Ｓ４０６：Ｙｅｓ）には、異常遮断部３８が接続装置３を動作させて、端子２ａと端子２ｂとの電気的接続を遮断し（Ｓ４０９）、動作信号送信部３３からオフ状態の動作信号を送信する（Ｓ４１０）。また、異常停止信号受信部４０が異常停止信号を受信せず（Ｓ４０６：Ｎｏ）、制御信号受信部３１がオフ状態の制御信号を受信したとき（Ｓ４０７：Ｙｅｓ）には、端子２ａと端子２ｂとの電気的接続を遮断する（Ｓ４０９）とともに、動作信号送信部３３からオフ状態の動作信号を送信する（Ｓ４１０）。但し、このとき、３つの制御信号受信部３１が同時にオフ状態の制御信号を受信するようにする。
【００６２】
以上に説明した第２の実施の形態によると、第１の実施の形態の場合と同様、３つの電気開閉器２を備えた電気開閉システム１において、同期選択信号により、３つの電気開閉器２を３つの単相用の電気開閉器として使用するか、１つの三相用の電気開閉器として使用するかを切り替えることができるので、電気開閉システム１の汎用性が高くなる。
【００６３】
また、動作信号送信部３３が動作信号信号を送信し、ステータス信号受信部３４でステータス信号を受信することにより、３つの電気開閉器２の端子２ａと端子２ｂとの電気的接続状態が同期しているかどうかを容易に判断することができる。
【００６４】
さらに、端子２ａと端子２ｂとの間に過電流が流れたとき、及び、端子２ａと端子２ｂとの電気的接続が遮断されている状態で、動作信号受信部３４がオン状態のステータス信号を受信したときに、異常検知信号を送信して他の電気開閉器２の端子２ａと端子２ｂとの電気的接続を遮断することにより、異常を検知したときに全ての電気開閉器２の端子２ａと端子２ｂとの電気的接続を遮断することができる。
【００６５】
次に第１、第２の実施の形態に種々の変更を加えた変形例について説明する。ただし、第１、第２の実施の形態と同様の構成を有するものには同じ符号を付し、適宜その説明を省略する。
【００６６】
第１の実施の形態において、マスター状態とスレーブ状態とが切り替え可能になっておらず、予め３つの電気開閉器２の１つのマスタースレーブ記憶部１３にマスター状態であることが記憶され、他の２つがのマスタースレーブ記憶部１３にスレーブ状態であることが記憶されていてもよい。
【００６７】
第２の実施の形態においては、異常遮断部検知３８が非同期遮断手段と過電流遮断手段とを兼ね、異常検知信号送信部３９が非同期信号送信手段と過電流検知信号送信手段とを兼ね、異常停止信号受信部４０が非同期停止信号受信手段と過電流停止信号受信手段とを兼ねていたが、制御装置７にこれらの機能を有する部分が個別に設けられていてもよい。
【００６８】
第１、第２の実施の形態においては、単相用及び三相用の電気開閉器として使用する場合について説明したが、これに限られず、三相用以外の多相の電気開閉器としても使用可能である。この場合、第１の実施の形態においては、必要な数の電気開閉器２の制御装置４同士を前述と同様に接続して使用すればよく、第２の実施の形態においては、必要な数の電気開閉器２の制御装置７同士を前述と同様に接続して使用すればよい。
【図面の簡単な説明】
【００６９】
【図１】本発明による第１の実施の形態に係る電気開閉システムが接続された電気の概略構成であり、（ａ）は３つの交流電源と３つの負荷、（ｂ）は三相交流電源と３つの負荷とが接続された図である。
【図２】図１に示された制御装置のブロック図である。
【図３】図１に示された３つの制御装置同士の接続を表す接続図である。
【図４】図１（ａ）のように接続された場合の電気開閉器の処理を示すフローチャートである。
【図５】図１（ｂ）のように接続された場合のマスター状態の電気開閉器の処理を表すフローチャートである。
【図６】図１（ｂ）のように接続された場合のスレーブ状態の電気開閉器の処理を表すフローチャートである。
【図７】本発明による第２の実施の形態に係る制御装置のブロック図である。
【図８】本発明による第２の実施の形態に係る３つの制御装置の接続図である。
【図９】本発明による第２の実施の形態に係る電気開閉器の動作を示すフローチャートである。
【符号の説明】
【００７０】
１  電気開閉システム
２  電気開閉器
３  接続装置
４  制御装置
７  制御装置
１０  同期指示信号受信部
１１  制御信号受信部
１２  同期記憶部
１３  マスタースレーブ記憶部
１４  動作信号送信部
１５  動作信号受信部
１６  過電流検知部
１７  過電流遮断部
１８  過電流検知信号送信部
１９  過電流停止信号受信部
３０  同期指示信号受信部
３１  制御信号受信部
３２  同期記憶部
３３  動作信号送信部
３４  ステータス信号受信部
３７  過電流検知部
３８  異常遮断部
３９  異常検知信号送信部
４０  異常停止信号受信部
【図１】
2006351315.tif 000003
【図２】
2006351315.tif 000004
【図３】
2006351315.tif 000005
【図４】
2006351315.tif 000006
【図５】
2006351315.tif 000007
【図６】
2006351315.tif 000008
【図７】
2006351315.tif 000009
【図８】
2006351315.tif 000010
【図９】
2006351315.tif 000011